(57)【要約】【課題】  開閉蓋の取付部に弾性部材の保持部を設け、弾性部材を、容易に、かつ抜け落ちないように取着し、分別廃棄の必要性がない容器開閉蓋の開閉機構を提供すること。【解決手段】  容器本体と、該容器本体の頂壁に廻動自在に取着された開閉蓋とからなる収納容器であって、開閉蓋の取付部に、弾性部材の保持部が設けられ、保持部は、取付部の端部に薄肉のヒンジを介して取着された弾性部材の締付部を設けた取付板と、開閉蓋の頂壁に垂設され、取付板の両側に当接するとともに、取付板の係止部を設けた一対の挟持板とからなることを特徴とする。【選択図】  図１
2005178882.tif 000002
【特許請求の範囲】
【請求項１】
容器本体と、該容器本体の頂壁に廻動自在に取着された開閉蓋とからなる収納容器であって、
開閉蓋の取付部に、弾性部材の保持部が設けられ、
保持部は、取付部の端部に薄肉のヒンジを介して取着された弾性部材の締付部を設けた取付板と、開閉蓋の頂壁に垂設され、取付板の両側に当接するとともに、取付板の係止部を設けた一対の挟持板とからなることを特徴とする開閉蓋の開閉機構。
【請求項２】
弾性部材が、コの字形に形成され、その中央部は取付板に挟み込まれて保持部に締着されており、
脚部が、容器本体の頂壁に係合されていることを特徴とする請求項１記載の開閉蓋の開閉機構。
【請求項３】
取付板の締付部に、挿通口が穿設されており、
弾性部材が、Ｔ字形に成形され、その脚部が、挿通口から外側に延設され、その先端部が、容器本体の頂壁に係合されていることを特徴とする請求項１記載の開閉蓋の開閉機構。
【発明の詳細な説明】
【技術分野】
【０００１】
本発明は、容器の開閉蓋、とくに容器の開閉蓋の開閉機構に関するものである。
【背景技術】
【０００２】
ウェットシートなどを保管収納する容器として、容器本体の頂壁に開口部を設け、該開口部を覆う開閉蓋を、上記容器本体にヒンジにより廻動自在に取着し、開閉蓋を、係止機構を介して容器本体に係止するようにした容器は、従来より周知である。
【０００３】
また、開閉蓋の開閉機構として、開閉蓋裏に弾性部材を取着し、係止機構を開放したときに、弾性部材の弾性により開閉蓋を開蓋し、確実に開蓋状態に維持するものも知られている（例えば、特許文献１）。
【特許文献１】実用新案登録第３０６１３９３号公報
【発明の開示】
【発明が解決しようとする課題】
【０００４】
しかしながら、上記特許文献１記載の従来例では、弾性部材を開閉蓋に取着するために開閉蓋の裏面に弾性部材の保持部を設け、該保持部に板状の弾性部材の端部を差し込んでいるだけであるので、使用中に弾性部材が差込み口から抜け落ち、紛失してしまうおそれがあった。
【０００５】
本発明は、上記の問題を解決することを課題とし、開閉蓋の取付部に弾性部材の保持部を設け、弾性部材を、容易に、かつ抜け落ちないように取着し、分別廃棄の必要性がない容器開閉蓋の開閉機構を提供することを目的とする。
【課題を解決するための手段】
【０００６】
本発明は、上記の課題を解決するため、開閉蓋の開閉機構として、容器本体と、該容器本体の頂壁に廻動自在に取着された開閉蓋とからなる収納容器であって、開閉蓋の取付部に、弾性部材の保持部が設けられ、保持部は、取付部の端部に薄肉のヒンジを介して取着された弾性部材の締付部を設けた取付板と、開閉蓋の頂壁に垂設され、取付板の両側に当接するとともに、取付板の係止部を設けた一対の挟持板とからなることを特徴とする構成を採用する。
【０００７】
弾性部材と保持部の実施形態として、弾性部材が、コの字形に形成され、その中央部は取付板に挟み込まれて保持部に締着されており、脚部が、容器本体の頂壁に係合されていることを特徴とする構成、或いは、取付板の締付部に、挿通口が穿設されており、弾性部材が、Ｔ字形に成形され、その脚部が、挿通口から外側に延設され、その先端部が、容器本体の頂壁に係合されていることを特徴とする構成を採用する。
【発明の効果】
【０００８】
開閉蓋の取付部裏面に弾性部材の保持部を設け、弾性部材を挟持するとともに、弾性部材の端部が容器本体の頂壁の段部に係合しているので、開閉蓋の係止を解いたときに、開閉蓋は、弾性部材の弾性により確実に開蓋し、開蓋状態を維持することができる。
開閉蓋の保持部に、コの字形の弾性部材中央部を挟み込むように締着したことにより、弾性部材が開閉蓋より抜け落ちることがなくなった。
また、弾性部材が合成樹脂であるので、廃棄の際に分別の必要がなくなった。
【発明を実施するための最良の形態】
【０００９】
次に、本発明の容器について、図面を参照して説明する。
図１、２において、Ａは、ウェットシート、ティッシュペーパー、その他のシート状物を収納した容器本体であり、Ｂは、蓋部Ｂ１と、弾性部材保持部Ｃを具備した取付部Ｂ２とからなる開閉蓋である。
【００１０】
容器本体Ａは、頂壁１と側周壁２と底壁３とからなっている。
図１に示すように、頂壁１と側周壁２から形成される収納体と、底壁３を形成する底蓋体とを組み付けて容器本体Ａを形成している。
頂壁１には、収納物の取出口４が設けられ、該取出口４を覆う開閉蓋Ｂが、取付部Ｂ２を介して頂壁１の後部に取着されている。
その反対側の頂壁１の前部には、開閉蓋Ｂを係止する操作板５が設けられている。
【００１１】
頂壁１の取出口４の周りには、開閉蓋Ｂの支持段部６が設けられており、頂壁１の後部には、支持段部６につづいて、取付部Ｂ２が取着される側面７ａ，７ｂと後面８とからなる切欠き部９が設けられている。
切欠き部９には、開閉蓋Ｂの取付部Ｂ２に取付られた弾性部材１０を支持するための凹部１１が設けられている。
【００１２】
図２に示すように、切欠き部９の側面７ａ，７ｂには、開閉蓋Ｂを頂壁１の所定の位置に取着するための軸受孔１２ａ，１２ｂ（図示されない）が穿設されている。
【００１３】
前記操作板５は、開閉蓋Ｂを支持段部６上に閉蓋状態として係止するとともに、押圧することによって開閉蓋Ｂとの係合を解き、開閉蓋Ｂが弾性部材１０の復元力により開蓋されるようになっている。
【００１４】
図１、２に示すように、開閉蓋Ｂの蓋部Ｂ１は、頂壁１３と、該頂壁１３の周縁から垂設された側周壁１４とからなっており、該側周壁１４の後壁１４ａ中央部に、取付部Ｂ２が連設されている。
【００１５】
側周壁１４の前壁１４bには、前記容器本体Ａの操作板５と係合する係合片１５が突設されている。
側周壁１４の高さは、図３に示すように、容器本体Ａの頂壁１と開閉蓋Ｂの頂壁１３が面一となるよう、頂壁１上面と支持段部６との高さとほぼ同一としている。
【００１６】
取付部Ｂ２は、蓋部Ｂ１の頂壁１３につづく頂壁１６と、切欠き部９の幅に対応する位置に側周壁１４から連設された側壁１７ａ，１７ｂとからなっており、頂壁１６の後端近くの部分は湾曲され、その端部１８は、側壁１７ａ，１７ｂの下端面まで延びている。
【００１７】
側壁１７ａ，１７ｂ後端部には、図２に示すように、軸ピン１９ａ，１９ｂが突設されている。
軸ピン１９ａ，１９ｂは、それぞれ容器本体Ａの軸受孔１２ａ，１２ｂ（図示されない）に嵌挿され、開閉蓋Ｂは、取付部Ｂ２を介して容器本体Ａに廻動自在に取着されている。
【００１８】
保持部Ｃは、図４（ａ）に示すように、頂壁１６の端部１８に薄肉のヒンジ２０を介して連設された取付板２１と、頂壁１６裏面に垂設された一対の挟持板２２ａ，２２ｂとからなっており、取付板２１は、弾性部材１０を押圧挟持する締付板２３と係止板２４とから構成されている。
【００１９】
二つの挟持板２２ａ，２２ｂは、取付板２１の両側に接するように位置しており、取付板２１の締付板２３に対応して、弾性部材１０の載置部２５ａ，２５ｂが設けられ、その内側内面には係止部２６ａ，２６ｂ（図示されない）が突設されている。
【００２０】
図６（ａ）に示すように、弾性部材１０はコの字形に形成され、中央部１０ａと両側の脚部１０ｂとからなっており、一枚の熱可塑性合成樹脂のシート材ｓより打ち抜き形成されたものである。
弾性部材１０の材質として、シリコンゴム、ＮＢＲ等のゴム、または熱可塑性エラストマー等が用いられている。
【００２１】
弾性部材の取付にあたっては、図４（ａ）に示すように、挟持板２２ａ，２２ｂの載置部２５ａ，２５ｂ上に、コの字形の弾性部材１０の中央部１０ａをその両側の脚部１０ｂが外側に向くように載置する。
次いで、取付板２１をヒンジ２０を介して上方に持ち上げ廻動させ、図４（ｂ）に示すように、挟持板２２ａ，２２ｂの間に嵌挿して、係止部２６ａ，２６ｂ（図示されない）により取付板２１を係止する。
その際、弾性部材１０の中央部は、取付板２１の締付部２３と挟持板２２ａ，２２ｂの載置部２５ａ，２５ｂとの間で挟持締着される。
【００２２】
次に、収納容器の使用態様と作用効果について説明する。
容器本体Ａには、用途に応じて必要な収納物が収納されており、普通のティッシュペーパーや、手指の清拭用のウェットティッシュ、除菌、清拭用のウェットティッシュ、或いは化粧用コットン、使い捨ての雑巾用布類等が収納される。
【００２３】
収納物を使用するときには、容器本体Ａの頂壁１に設けた操作板５を押圧することにより、操作板５と開閉蓋Ｂの係合片１５との係合を解除することができる。
この場合、弾性部材１０の復元力により、取付部Ｂ２を軸にして開閉蓋Ｂが開蓋され、頂壁１６が切欠き部９の後面８に押し付けられ、開蓋状態が維持される。
次に、容器本体Ａの頂壁１に穿設された取出口４より、収納物を使用する分だけ取り出す。
【００２４】
収納物の使用後は、開閉蓋Ｂを廻動させて容器本体Ａの操作板５に押さえ込み、開閉蓋Ｂの係合片１５と操作板５とを係合させる。
この場合、開閉蓋Ｂは、容器本体Ａの支持段部６に当接することにより取出口４が閉鎖される。
【００２５】
弾性部材１０は、その中央部１０ａが取付板２１と一対の挟持板２２ａ，２２ｂとからなる保持部Ｃによって挟持締着されているから、弾性部材１０は抜け落ちることはない。
弾性部材１０は、射出成形、圧縮成形、シート材の打抜き等、任意の方法で成形されるが、弾性部材１０がコの字形の場合には、図６（ａ）に示すように、弾性部材１０の形成にあたって、シート材ｓからの打ち抜きは効率よくでき、シート材ｓを無駄なく利用できる。
【００２６】
次に、弾性部材とその保持部の変形実施例について説明する。
本実施例は、Ｔ字形の弾性部材を用いたもので、図６（ｂ）に示すように，弾性部材３０を横方向に延びる水平部３０ａと中央の脚部３０ｂとからＴ字形に形成されている。
保持部Ｃａは、図５（ａ）に示すように、前記実施形態の保持部の取付板２１の締付部２３に端部１８から続く挿通口３１が穿設され、取付板２１は一対のヒンジ３２ａ、ｂによって連設されている。
【００２７】
弾性部材３０の取付にあたっては、図５（ｂ）に示すように、取付板２１をヒンジ３２を介して上方に持ち上げ、９０°廻動させ、挿通口３１に弾性部材３０の中央の脚部３０ｂを挿入し、挟持板２２ａ，２２ｂの載置部２５ａ，２５ｂ上に、弾性部材３０の水平部３０ａを載置する。
【００２８】
次いで、取付板２１をヒンジ３２ａ、ｂを介して内側に９０°廻動させ、図５（ｃ）に示すように、挟持板２２ａ，２２ｂの間に嵌挿して、係止部２６ａ，２６ｂ（図示されない）により取付板２１を係止する。
その際、弾性部材３０は、取付板２１の締付部２３と挟持板２２ａ，２２ｂの載置部２５ａ，２５ｂとの間で挟持締着される。
【００２９】
弾性部材３０は、取付板２１と一対の挟持板２２ａ，２２ｂとからなる保持部Ｃａによって挟持締着されているため、抜け落ちることはない。
また、弾性部材３０はＴ字形であるから、コの字形と同様に、弾性部材３０の形成にあたって、図６に示すようシート材ｓからの打ち抜きは効率よくでき、シート材ｓを無駄なく利用できる。
【００３０】
前記実施形態および実施例では、弾性部材をコの字形、またはＴ字形に形成したが、Ｈ字形でもよく、この場合には、開閉蓋に取付ける際に上下の方向あわせが不要となる。  
【００３１】
前記実施形態では、頂壁１と側周壁２から形成される収納体と、底壁３を形成する底蓋体とを組み付けて容器本体Ａを形成したが、側周壁２と底壁３から形成される収納体と、頂壁１を形成する蓋体とを組み付けて容器本体Ａを形成してもよい。
また、容器本体の断面形状は、実施形態では角形であるが、円形または楕円形等であってもよい。
【００３２】
物品の収納容器として、容器の頂上面に内容物の取出口を設け、ヒンジを介して開閉蓋を取着したもので、開閉蓋の開閉機構として実施形態のものを適用できるものであればよく、容器の形態、構成は実施形態に限定されない。
【産業上の利用可能性】
【００３３】
弾性部材を保持部の取付板により挟持させ取着しているため、弾性部材が保持部より抜け落ちるという問題がなく、弾性部材のセットが、容易かつ確実にできるようになった。
そして、本発明の開閉蓋は、シート状物の収納容器に限らず、あらゆる収納物の収納容器に適用することができ、その使用用途を拡大できる。
【図面の簡単な説明】
【００３４】
【図１】本発明収納容器の斜視図である。
【図２】容器本体と開閉蓋とを分離したときの斜視図である。
【図３】開閉蓋を閉じた状態の斜視図である。
【図４】開閉蓋の保持部に弾性部材を取付る際の説明図で、（ａ）は挟持前、（ｂ）は挟持時の図である。
【図５】弾性部材と保持部の別実施例の説明図で、（ａ）は挟持前、（ｂ）は弾性部材の挿入時、（ｃ）は挟持後の斜視図である。
【図６】弾性部材形成時の説明図で、（ａ）はコの字形弾性部材、（ｂ）はＴ字形弾性部材の図である。
【符号の説明】
【００３５】
Ａ          容器本体
Ｂ          開閉蓋
Ｂ１        蓋部
Ｂ２        取付部      
Ｃ、Ｃａ    保持部
ｓ          シート材
１          頂壁
４          取出口
５          操作板
６          支持段部
９          切欠き部    
１０、３０  弾性部材
１１        凹部
１３、１６  頂壁
１４        側周壁
１７ａ，ｂ  側壁
１８        端部
２０、３２ａ，ｂ    ヒンジ
２１、      取付板
２２ａ，ｂ  挟持板
２３        締付部
２４        係止板
２５ａ，ｂ  載置部
２６ａ，ｂ  係止部
３１        挿通口
【図１】
2005178882.tif 000003
【図２】
2005178882.tif 000004
【図３】
2005178882.tif 000005
【図４】
2005178882.tif 000006
【図５】
2005178882.tif 000007
【図６】
2005178882.tif 000008